(57)【要約】【課題】脱穀処理後の排ワラを切断処理する排ワラ切断装置に、駆動軸に支持された複数の切断刃を有する駆動刃体と、切断軸に支持された複数の受刃を有する受刃体と、駆動刃体及び受刃体を収容するケースと、が備えられているコンバインにおいて、ケースの後部カバー内を少ない人手によって迅速に清掃できるようにする。【解決手段】ケース１５の内部に、後部カバー１５Ｂの内面部に付着した塵埃を除去可能な除去機構２０が備えられている。【選択図】図２
2020000052.tif 000002
【特許請求の範囲】
【請求項１】
刈取穀稈を脱穀処理する脱穀装置と、
前記脱穀装置の後部に連結され、脱穀処理後の排ワラを切断処理する排ワラ切断装置と、が備えられ、
前記排ワラ切断装置に、駆動軸、及び、前記駆動軸に支持された複数の切断刃を有する駆動刃体と、前記駆動軸と平行な切断軸、及び、前記切断軸に支持されるとともに前記切断刃に対応する複数の受刃を有する受刃体と、前記駆動刃体及び前記受刃体を収容するケースと、が備えられ、
前記ケースに、ケース本体と、前記ケース本体の後部を構成する後部カバーと、が備えられ、
前記ケースの内部に、前記後部カバーの内面部に付着した塵埃を除去可能な除去機構が備えられているコンバイン。
【請求項２】
前記除去機構は、前記内面部のうちの機体横外側部分を除去対象面としている請求項１に記載のコンバイン。
【請求項３】
前記除去機構は、前記後部カバーに支持され、除去対象面に対して相対移動操作可能な部材である請求項１または２に記載のコンバイン。
【請求項４】
前記除去機構は、除去対象面に対して立ち上がる折曲げ端部を有する板部材であり、
前記板部材は、前記折曲げ端部によって塵埃を削り取るように構成されている請求項３に記載のコンバイン。
【請求項５】
前記後部カバーのうちの塵埃除去の対象面を有する箇所に形成された開口と、前記開口を塞ぐ蓋部材と、が備えられ、
前記蓋部材は、前記後部カバーに対して摺接して前記開口を塞ぐ閉状態と、前記開口を開ける開状態と、に状態切り換え可能に構成され、
前記除去機構に、前記開口の縁部と、前記蓋部材を前記閉状態と前記開状態とに状態切り換えする切替機構と、が備えられ、
前記蓋部材の内面に付着した塵埃が前記蓋部材の前記後部カバーに対する摺動によって削り取られる請求項１に記載のコンバイン。
【請求項６】
前記蓋部材を前記閉状態に保持するロック機構が備えられている請求項５に記載のコンバイン。
【発明の詳細な説明】
【技術分野】
【０００１】
本発明は、刈取穀稈を脱穀処理する脱穀装置と、前記脱穀装置の後部に連結され、脱穀処理後の排ワラを切断処理する排ワラ切断装置と、が備えられたコンバインに関する。
【背景技術】
【０００２】
上記したコンバインにおける排ワラ切断装置として、例えば特許文献１に示されるように、駆動軸(文献１の切断軸)、及び、駆動軸に支持された複数の切断刃を有する駆動刃体（文献１の回転カッター）と、駆動軸と平行な切断軸（文献１の供給軸）、及び、切断軸に支持されるとともに切断刃に対応する複数の受刃（文献１の供給刃）を有する受刃体（文献１の回転供給体）と、駆動刃体及び受刃体を収容するケース（文献１のカッターケース）と、が備えられたものがある。
【先行技術文献】
【特許文献】
【０００３】
【特許文献１】特開２０１０−９９０２７号公報
【発明の概要】
【発明が解決しようとする課題】
【０００４】
上記した排ワラ切断装置においては、排ワラの切断処理に伴い、排ワラに付着していた泥や、切れワラなどの塵埃がケースのうち、ケースの後部を構成する後部カバーの内面部に付着し、付着した塵埃を取り除く清掃を行わねばならないことがある。従来、このようの場合、後部カバーを外したり、また、別途のスクレーパなどを準備したりして清掃作業をしなければならず、手間が掛かった。また、多くの時間が掛かる。
【０００５】
本発明は、後部カバーを手間を掛けずに清掃できるコンバインを提供する。
【課題を解決するための手段】
【０００６】
本発明によるコンバインは、
刈取穀稈を脱穀処理する脱穀装置と、前記脱穀装置の後部に連結され、脱穀処理後の排ワラを切断処理する排ワラ切断装置と、が備えられ、前記排ワラ切断装置に、駆動軸、及び、前記駆動軸に支持された複数の切断刃を有する駆動刃体と、前記駆動軸と平行な切断軸、及び、前記切断軸に支持されるとともに前記切断刃に対応する複数の受刃を有する受刃体と、前記駆動刃体及び前記受刃体を収容するケースと、が備えられ、前記ケースに、ケース本体と、前記ケース本体の後部を構成する後部カバーと、が備えられ、前記ケースの内部に、前記後部カバーの内面部に付着した塵埃を除去可能な除去機構が備えられている。
【０００７】
本構成によると、後部カバーの内面部に付着した塵埃をケースの内部に位置する除去機構によって除去できるので、後部カバーを外したり、別途のスクレーパなどを準備する必要がなかったりして、手間を掛けずに清掃できる。
【０００８】
本発明においては、前記除去機構は、前記内面部のうちの機体横外側部分を除去対象面としていると好適である。
【０００９】
泥は、排ワラの株元側から飛散する。また、脱穀装置から排出される選別風が排ワラ切断装置のケース内に入り込んで流れるなどにより、後部カバーの内面部のうち、機体横外側部分に塵埃が付着し易い。本構成によると、後部カバーの内面部のうちの機体横外側部分が除去機構の除去対象面になっているので、付着した塵埃を的確に除去できる。
【００１０】
本発明においては、前記除去機構は、前記後部カバーに支持され、除去対象面に対して相対移動操作可能な部材であると好適である。
【００１１】
本構成によると、除去機構が除去対象面に沿って移動して塵埃を削り取ることができるので、塵埃を除去し易い。
【００１２】
本発明においては、前記除去機構は、除去対象面に対して立ち上がる折曲げ端部を有する板部材であり、前記板部材は、前記折曲げ端部によって塵埃を削り取るように構成されていると好適である。
【００１３】
本構成によると、除去機構が板部材でなる簡素な構造のものでありながら、折曲げ端部によって強い除去反力に対抗しつつ塵埃を削り取ることができるので塵埃を的確に除去できる。
【００１４】
本発明においては、前記後部カバーのうちの塵埃除去の対象面を有する箇所に形成された開口と、前記開口を塞ぐ蓋部材と、が備えられ、前記蓋部材は、前記後部カバーに対して摺接して前記開口を塞ぐ閉状態と、前記開口を開ける開状態と、に状態切り換え可能に構成され、前記除去機構に、前記開口の縁部と、前記蓋部材を前記閉状態と前記開状態とに状態切り換えする切替機構と、が備えられ、前記蓋部材の内面に付着した塵埃が前記蓋部材の前記後部カバーに対する摺動によって削り取られると好適である。
【００１５】
本構成によると、開口の縁部を削り取りエッジに活用した簡素な構造の除去機構によって後部カバーの塵埃を除去できる。
【００１６】
本発明において、前記蓋部材を前記閉状態に保持するロック機構が備えられていると好適である。
【００１７】
本構成によると、開口の縁部を削り取りエッジに活用するものでありながら、蓋部材をロック機構によって閉状態に保持できるので、細断ワラなどが開口から漏れ出ないように開口をしっかり閉じつつ排ワラ細断をできる。
【図面の簡単な説明】
【００１８】
【図１】コンバインの全体を示す左側面図である。
【図２】排ワラ切断装置を示す縦断側面図である。
【図３】排ワラ切断装置を示す後面図である。
【図４】除去機構を示す正面図である。
【図５】図４のＶ−Ｖ断面矢視図である。
【図６】第１別実施形態を備える排ワラ切断装置を示す後面図である。
【図７】第１別実施形態を備える排ワラ切断装置を示す後面図である。
【図８】第２別実施形態を備える排ワラ切断装置を示す後面図である。
【図９】第３別実施形態を備える排ワラ切断装置を示す後面図である。
【発明を実施するための形態】
【００１９】
以下、本発明の一例である実施形態を図面に基づいて説明する。
なお、以下の説明では、コンバインの機体に関し、図１に示される矢印Ｆの方向を「機体前方」、矢印Ｂの方向を「機体後方」、矢印Ｕの方向を「機体上方」、矢印Ｄの方向を「機体下方」、紙面表側の方向を「機体左方」、紙面裏側の方向を「機体右方」とする。
【００２０】
〔コンバインの全体の構成について〕
図１に示されるように、コンバインは、機体フレーム１、機体フレーム１の下部に駆動可能に装備された左右一対のクローラ走行装置２を有する機体を備えている。機体の前部の右領域に運転部３が形成されている。運転部３には、搭乗空間を覆うキャビン４が備えられている。運転部３の下方に、エンジン５を有する原動部が形成されている。機体フレーム１の前部における左領域には、作業走行時に機体の前方に位置する水稲や麦などの穀稈を刈り取って搬送する刈取前処理部６が連結されている。刈取前処理部６は、機体左右向きの枢支軸芯Ｐ１を支点にした昇降揺動が可能な状態で連結されている。刈取前処理部６の昇降揺動は、機体フレーム１と前処理部フレーム７とにわたって架設された油圧式の昇降シリンダ８の伸縮作動で行われる。機体フレーム１のうち、刈取前処理部６の後側の部位に、刈取前処理部６が搬送する刈取穀稈を受け入れて脱穀処理し、脱穀処理後の処理物に選別処理を施す脱穀装置９が設けられている。脱穀装置９は、刈取前処理部６が供給する刈取穀稈の株元側を脱穀フィードチェーン(図示せず)によって後方に向け挟持搬送しつつ、刈取穀稈の穂先側を扱室（図示せず）に挿入して脱穀処理する。脱穀装置９の後部には、脱穀処理後の排ワラを切断処理する排ワラ切断装置１０が連結されている。排ワラ切断装置１０の下部に、排ワラ切断装置１０から排出される細断ワラを拡散オーガ１１ａによって機体横幅方向に拡散させて圃場に排出する細断ワラ排出装置１１が設けられている。機体フレーム１のうち、運転部３の後側の部位に、脱穀装置９から搬送された単粒化穀粒を回収して貯留する穀粒タンク１２が設けられている。脱穀装置９と穀粒タンク１２とは、機体横幅方向に並ぶ状態、いわゆる横並び状態で機体フレーム１に設けられている。穀粒タンク１２の後部には、貯留された穀粒を排出する穀粒排出装置１３が接続されている。
【００２１】
〔刈取前処理部の構成について〕
刈取前処理部６においては、機体の走行に伴って、植立穀稈のうちの刈取対象の穀稈がデバイダ６ａによって引起装置６ｂに導入されて引き起こし処理され、引き起こし処理される植立穀稈の株元がバリカン型の刈取装置６ｃによって切断されて、収穫対象の穀稈が刈り取られる。刈取装置６ｃの後方に配備された搬送装置６ｄによって刈取穀稈が脱穀装置９の脱穀フィードチェーンの始端部に供給される。
【００２２】
〔排ワラ切断装置の構成について〕
排ワラ切断装置１０は、図２に示されるように、脱穀装置９の後部に設けられたケース１５を備えている。ケース１５は、脱穀装置９の排ワラ搬送装置９ａの搬送終端部の下方に位置する状態で設けられている。ケース１５の上部に、排ワラ投入口１６、及び、排ワラ搬送装置９ａから落下する排ワラを案内する案内部材１７が設けられている。ケース１５の内部に、駆動刃体１８及び受刃体１９が収容されている。
【００２３】
案内部材１７は、図２に示されるように、排ワラ投入口１６の後側でケース１５に上下揺動可能に支持され、排ワラ投入口１６を開閉する蓋機能を備えている。案内部材１７は、ケース１５の上面部に対して立ち上がる姿勢に姿勢変更されると、排ワラ投入口１６を開く第１案内状態になり、排ワラ搬送装置９ａから落下する排ワラを案内部材１７の裏側面によって排ワラ投入口１６からケース１５の内部に流入するように案内する。案内部材１７は、ケース１５の上面部に沿う姿勢に姿勢変更されると、排ワラ投入口１６を閉じる第２案内状態になり、排ワラ搬送装置９ａから落下する排ワラを案内部材１７の表側面によってケース１５の後外側に長ワラ状態で流出するように案内する。
【００２４】
駆動刃体１８は、図２に示されるように、ケース１５の左右の側壁に回転可能に支持された駆動軸１８ａ、及び、駆動軸１８ａに相対回転不能に支持された複数の切断刃１８ｂを有している。複数の切断刃１８ｂは、駆動軸１８ａの軸芯方向に間隔を空けて並んでいる。駆動刃体１８は、脱穀装置９から伝達される動力によって矢印Ｘ(図２参照)で示される回転方向に回転駆動される。
【００２５】
受刃体１９は、駆動軸１８ａよりも前側に駆動軸１８ａと平行に位置する状態でケース１５の左右の側壁に回転可能に支持された切断軸１９ａ、及び、切断軸１９ａに相対回転不能に支持されると共に切断刃１８ｂに対応する複数の受刃１９ｂを有している。受刃体１９は、脱穀装置９から伝達される動力によって矢印Ｙ（図２参照)で示される回転方向に回転駆動される。
【００２６】
排ワラ切断装置１０においては、案内部材１７が第１案内状態に切り換えられると、排ワラ搬送装置９ａから落下した排ワラが排ワラ投入口１６からケース１５の内部に流入する。流入した排ワラが駆動刃体１８及び受刃体１９の上に載り、切断刃１８ｂ及び受刃１９ｂによって駆動軸１８ａと切断軸１９ａとの間に掻き込まれつつ切断刃１８ｂ及び受刃１９ｂによって切断され、排ワラを稈身方向での複数箇所で切断する細断処理が行われる。細断ワラは、ケース１５の下部に繋がっている細断ワラ排出装置１１の拡散排出ケースの内部に落下する。
【００２７】
〔除去機構の構成について〕
ケース１５には、図２，３に示されるように、排ワラ投入口１６を有するケース本体１５Ａと、ケース本体１５Ａの後部を構成している後部カバー１５Ｂと、が備えられている。後部カバー１５Ｂは、駆動刃体１８を後方から塞ぐ状態で設けられている。排ワラに付着していた泥、脱穀処理及び排ワラ切断に伴って発生する切れワラなどの塵埃が後部カバー１５Ｂの内面部に付着する。ケース１５の内部に、後部カバー１５Ｂの内面部に付着した塵埃を除去可能な除去機構２０が設けられている。
【００２８】
泥は、排ワラの株元側から飛散する。また、脱穀装置９の排塵ファン９ｂ(図２参照)から排出される選別風及び塵埃がケース１５の内部を通るなどにより、後部カバー１５Ｂの内面部１５Ｃのうちの機体横外側部分、すなわち、後部カバー１５Ｂの機体横幅方向での中心に対して脱穀フィードチェーンが位置する側に偏位した部分において、他の部分よりも塵埃が付着しやすい。除去機構２０は、図３に示されるように、後部カバー１５Ｂの内面部のうちの機体横外側部分を除去対象面とする状態で設けられている。
【００２９】
具体的には、図４，５に示されるように、除去機構２０は、帯状の板部材によって構成されている。板部材の横幅方向での両端部に、除去対象面に対して立ち上がる折曲げ端部２１が設けられている。除去機構２０は、後部カバー１５Ｂのうち、除去対象面を有する部分に回転支軸２２を介して回転可能に支持されている。回転支軸２２のうち、後部カバー１５Ｂの外面側に突出している端部に操作ハンドル２３が相対回転不能に装着されている。
【００３０】
除去機構２０は、操作ハンドル２３が回転支軸２２の軸芯Ｐ２を回転中心にして図３に矢印Ａで示される回転方向（時計回り方向）に回転操作されることにより、除去対象面に対して操作ハンドル２３の回転方向と同じ回転方向に相対移動する。除去機構２０は、矢印Ａで示される回転方向に回転されると、板部材の折曲げ端部２１のうちの図４に示される第１部分２１ａ及び第２部分２１ｂによって、除去対象面に付着している塵埃を削り取る。
【００３１】
除去機構２０は、操作ハンドル２３が回転支軸２２の軸芯Ｐ２を回転中心にして図３に矢印Ｂで示される回転方向(反時計回り方向)に回転操作されることにより、除去対象面に対して操作ハンドル２３の回転方向と同じ回転方向に相対移動する。除去機構２０は、矢印Ｂで示される回転方向に回転されると、板部材の折曲げ端部２１のうちの図４に示される第３部分２１ｃ及び第４部分２１ｄによって、除去対象面に付着している塵埃を削り取る。
【００３２】
上記した実施形態では、除去機構２０が板部材によって構成された例を示したが、これに限らない。たとえば、横断面矩形の棒状部材、アングル部材、折曲げ端部を有しない平板部材などの採用が可能である。また、上記した実施形態では、板部材が回転支軸２２から反対方向の２方向に延びる構成を採用しているが、これに限らない。たとえば、板部材や棒状部材などが回転支軸２２から３方向や４方向などの複数方向に放射状に延びる構成を採用してもよい。また、板部材や棒状部材などが回転支軸２２から一方向だけに延びる構成を採用してもよい。また、上記した実施形態では、板部材の両横端部に折曲げ端部２１を設けた例を示しているが、板部材の片方の横端部だけに折曲げ端部を設けて実施してもよい。また、除去機構２０を後部カバー１５Ｂの横幅方向での複数箇所に設けて実施してもよい。また、板部材の横端部に、塵埃を削り取る板部材を塵埃に入り込みやすくする、ギザギザなどの凹凸や、突部を設けて実施してもよい。
【００３３】
上記した実施形態では、ケース内に設けた除去機構２０が時計回り方向及び反時計回り方向の両方向に回転可能に構成された例を示したが、時計回り方向及び反時計回り方向のいずれか一方の回転方向にだけ回転可能な構成を採用してもよい。また、後部カバー１５Ｂに対して回転によって相対移動する構成に限らず、スライド移動によって相対移動する構成を採用してもよい。上記した実施形態では、除去機構２０が後部カバー１５Ｂの内面部のうちの機体横外側部分に設けられているが、これに限らない。たとえば、中央部分など、塵埃が付着し易い部分に設けるとよい。また、上記した実施形態では、除去機構２０が内面部の一箇所だけに設けられているが、排ワラ切断装置１０の横幅方向に並ぶ２箇所以上の複数箇所に設けて実施してもよい。
【００３４】
〔別実施形態〕
（１）図６，７は、第１別実施形態を備える排ワラ切断装置１０を示す後面図である。図６，７に示されるように、第１別実施形態を備える排ワラ切断装置１０には、後部カバー１５Ｂのうちの除去対象面を有する箇所に形成された開口２４と、開口２４を塞ぐ蓋部材２５とが備えられている。
【００３５】
蓋部材２５の角部が枢支軸２６を介して後部カバー１５Ｂに支持されている。後部カバー１５Ｂは、枢支軸２６を揺動支点にして揺動操作可能な状態で後部カバー１５Ｂに支持されている。蓋部材２５を揺動操作し、図６に示されるように、蓋部材２５が横倒れ姿勢になると、蓋部材２５は、開口２４を塞ぐ閉状態なる。蓋部材２５を揺動操作し、図７に示されるように、蓋部材２５が起立姿勢になると、蓋部材２５は、開口２４を開ける開状態なる。
【００３６】
蓋部材２５が閉状態になった場合、図６に示されるように、開口２４の下側に設けられている位置決め部材２７によって蓋部材２５の一辺部が受け止め支持され、蓋部材２５は、位置決め部材２７によって閉状態に位置決めされる。蓋部材２５の遊端部に、蓋部材２５を開閉操作する開閉ハンドル２８が設けられている。開閉ハンドル２８は、蓋部材２５に対して起立した使用姿勢と、蓋部材２５に沿う状態に倒伏した格納姿勢とに姿勢変更可能な状態で蓋部材２５に支持されている。蓋部材２５に、蓋部材２５を閉状態に保持するロック機構２９が設けられている。ロック機構２９は、キャッチャーを利用して構成されている。ロック機構２９によって閉状態に保持された蓋部材２５によって開口２４をしっかり閉じて、細断ワラが開口２４から漏れ出ないようにできる。ロック機構２９は、蓋部材２５に揺動可能に連結された支持部材３０に支持されている。蓋部材２５を閉状態にした場合、支持部材３０を蓋部材２５側に揺動させてロック機構２９が蓋部材２５の貫通穴２５ａ（図７参照）を通って後部カバー１５Ｂの内側に入り込むようにすると、後部カバー１５Ｂに固定されているロック部材２９ａにロック機構２９が係止する。すると、ロック機構２９がロック状態になり、蓋部材２５がロック機構２９によって閉状態に保持される。
【００３７】
枢支軸２６及び開閉ハンドル２８により、蓋部材２５を閉状態と開状態とに状態切り換えする切替機構３１が構成されている。
【００３８】
第１別実施形態を備える排ワラ切断装置１０では、除去機構２０に、開口２４における上側の縁部２４ａと、切替機構３１とが備えられている。除去機構２０においては、蓋部材２５が切替機構３１によって状態切り替えされることにより、縁部２４ａが除去対象面としての蓋部材２５の内面部に対して相対移動し、蓋部材２５の内面部に付着した塵埃が除去される。縁部２４ａには、図７に示されるように、縁部２４ａが塵埃を削り取るための縁部２４ａの塵埃への入り込みやすさを促進する突部２４ｃが設けられている。
【００３９】
すなわち、蓋部材２５が切替機構３１によって閉状態から上昇揺動されて開状態に切り換えられると、蓋部材２５の内面部が後部カバー１５Ｂに対して摺動し、この摺動によって蓋部材２５の内面部が縁部２４ａに対して移動し、蓋部材２５の内面部に付着している塵埃が縁部２４ａによって削り取られる。
【００４０】
第１別実施形態では、蓋部材２５が閉状態から上昇揺動することによって開状態に状態変更し、開口２４の上側の縁部２４ａによって塵埃の削り取りが行われる構成を採用しているが、蓋部材２５が閉状態から下降揺動することによって開状態に状態変更し、開口２４の下側の縁部によって塵埃の削り取りが行われる構成を採用してもよい。
【００４１】
（２）図８は、第２別実施形態を備える排ワラ切断装置１０を示す後面図である。図８に示されるように、第２別実施形態を備える排ワラ切断装置１０では、後部カバー１５Ｂのうち、開口２４の上下側の部分に、蓋部材２５を排ワラ切断装置１０の横幅方向にスライド開閉可能に支持する横向きのガイドレール３２が設けられている。蓋部材２５は、閉状態にされたとき、蓋部材２５の横端部が位置決め部材２７ａによって受け止められ、位置決め部材２７ａによって閉状態に位置決めされる。蓋部材２５を閉状態に保持するロック機構２９は、別の第１実施形態を備える排ワラ切断装置１０におけるロック機構２９の構成と同じ構成を備えている。
【００４２】
第２別実施形態を備える排ワラ切断装置１０では、蓋部材２５を閉状態と開状態とに状態切り換えする切替機構３１に、横向きのガイドレール３２と、蓋部材２５に設けられた開閉ハンドル２８とが備えられ、除去機構２０に、開口２４における右横側の縁部２４ｂと、切替機構３１とが備えられている。
【００４３】
除去機構２０においては、蓋部材２５が切替機構３１によって閉状態から右横側にスライド移動されて開状態に切り替えられると、縁部２４ｂが除去対象面としての蓋部材２５の内面部に対して相対移動し、蓋部材２５の内面部に付着している塵埃が除去される。すなわち、蓋部材２５の内面部が後部カバー１５Ｂに対して排ワラ切断装置１０の横幅方向に摺動し、この摺動によって蓋部材２５の内面部が縁部２４ｂに対して移動し、蓋部材２５の内面部に付着している塵埃が縁部２４ｂによって削り取られる。
【００４４】
第２別実施形態では、蓋部材２５が閉状態から右横側に移動することによって開状態に状態変更し、開口２４の右横側の縁部２４ｂよって塵埃の削り取りが行われる構成を採用しているが、蓋部材２５が閉状態から左横側に移動することによって開状態に状態変更し、開口２４の左横側の縁部によって塵埃の削り取りが行われる構成を採用してもよい。
【００４５】
蓋部材２５を横スライドによって後部カバー１５Ｂに対して相対移動させる場合、開口２４の横幅を広くし、蓋部材２５を開口２４の左側部分と右側部分との２箇所に設けて実施してもよい。左側の蓋部材２５は、左側に移動して開口２４を開くときに内面部の塵埃が開口２４の左横側の縁部で削り取られ、右側の蓋部材２５は、右側に移動して開口２４を開くときに内面部の塵埃が開口２４の右横側の縁部で削り取られる。
【００４６】
（３）図９は、第３別施形態を備える排ワラ切断装置１０を示す後面図である。図９に示されるように、別の第３実施形態を備える排ワラ切断装置１０では、後部カバー１５Ｂのうち、開口２４の両横側の部分に、蓋部材２５を排ワラ切断装置１０の上下方向にスライド開閉可能に支持する縦向きのガイドレール３３が設けられている。蓋部材２５は、閉状態にされたとき、蓋部材２５の下端部が位置決め部材２７ｂによって受け止められ、位置決め部材２７ｂによって閉状態に位置決めされる。蓋部材２５を閉状態に保持するロック機構２９は、別の第１実施形態を備える排ワラ切断装置１０におけるロック機構２９の構成と同じ構成を備えている。
【００４７】
第３別実施形態を備える排ワラ切断装置１０では、蓋部材２５を閉状態と開状態とに状態切り換えする切替機構３１に、縦向きのガイドレール３３と、蓋部材２５に設けられた開閉ハンドル２８とが備えられ、除去機構２０に、開口２４における上側の縁部２４ａと、切替機構３１とが備えられている。
【００４８】
除去機構２０においては、蓋部材２５が切替機構３１によって閉状態から開状態に切り換えられると、縁部２４ａが除去対象面としての蓋部材２５の内面部に対して相対移動し、蓋部材２５の内面部に付着している塵埃が除去される。すなわち、蓋部材２５の内面部が後部カバー１５Ｂに対して排ワラ切断装置１０の上方向に摺動し、この摺動によって蓋部材２５の内面部が縁部２４ａに対して移動し、蓋部材２５の内面部に付着している塵埃が縁部２４ａによって削り取られる。
【００４９】
第３別実施形態では、蓋部材２５が閉状態から上昇スライドすることによって開状態に状態変更し、開口２４の上側の縁部２４ａによって塵埃の削り取りが行われる構成を採用しているが、蓋部材２５が閉状態から下降スライドすることによって開状態に状態変更し、開口２４の下側の縁部によって塵埃の削り取りが行われる構成を採用してもよい。
【００５０】
蓋部材２５を上下スライドによって後部カバー１５Ｂに対して相対移動させる場合、開口２４の横幅を広くし、横方向に並ぶ２つ以上の蓋部材２５を設けてもよい。
【産業上の利用可能性】
【００５１】
本発明は、脱穀装置の前後向きを機体前後向きに設定されたコンバインの他、脱穀装置の前後向きが機体横向きに設定されたコンバインに適用できる。
【符号の説明】
【００５２】
９        脱穀装置
１０      排ワラ切断装置
１５      ケース
１５Ａ    ケース本体
１５Ｂ    後部カバー
１８      駆動刃体
１８ａ    駆動軸
１８ｂ    切断刃
１９      受刃体
１９ａ    切断軸
１９ｂ    受刃
２０      除去機構
２４      開口
２５      蓋部材
２９      ロック機構
３１      切替え機構
【図１】
2020000052.tif 000003
【図２】
2020000052.tif 000004
【図３】
2020000052.tif 000005
【図４】
2020000052.tif 000006
【図５】
2020000052.tif 000007
【図６】
2020000052.tif 000008
【図７】
2020000052.tif 000009
【図８】
2020000052.tif 000010
【図９】
2020000052.tif 000011